【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
ｅメールメッセージを処理するための方法であって、
ｅメールアカウントに関連するｅメールメッセージの要求をモバイル機器から受信するステップを含み、
前記ｅメールアカウントは、多数のプロファイルに関連し、
前記多数のプロファイルの各プロファイルは、異なる組のフィルタ基準に関連し、前記方法はさらに、
特定のプロファイルに関連する特定の組のフィルタ基準を特定するステップと、
前記特定の組のフィルタ基準内のフィルタ基準を満たす、選択されるｅメールメッセージを特定するために、１組のｅメールメッセージに前記特定の組のフィルタ基準を適用するステップと、
選択されたｅメールメッセージを前記モバイル機器に送信するステップとを含む、方法。
【請求項２】
前記モバイル機器は第１のモバイル機器であり、
前記特定の組のフィルタ基準を特定するステップは、前記第１のモバイル機器に関連する第１のアクティブなプロファイルを特定するステップを含み、前記第１のアクティブなプロファイルは、前記特定の組のフィルタ基準を含み、
前記多数のプロファイルは、前記第１のモバイル機器とは別個の第２のモバイル機器に関連する第２のアクティブなプロファイルを含む、請求項１に記載の方法。
【請求項３】
前記特定の組のフィルタ基準は、各ｅメールメッセージに関連する緊急度を含む、請求項１に記載の方法。
【請求項４】
前記特定の組のフィルタ基準は、各ｅメールメッセージに関連する出所を含む、請求項１に記載の方法。
【請求項５】
前記特定の組のフィルタ基準は、各ｅメールメッセージに関連する日付を含む、請求項１に記載の方法。
【請求項６】
前記特定の組のフィルタ基準は、前記モバイル機器のユーザにより予め定められる、請求項１に記載の方法。
【請求項７】
前記選択されたｅメールメッセージの１つを削除する要求を受信するステップと、
前記１組のｅメールメッセージから、要求されたｅメールメッセージを削除するステップとをさらに含む、請求項１に記載の方法。
【請求項８】
前記特定の組のフィルタ基準を変更する要求を受信するステップと、
前記１組のｅメールメッセージに適用された前記特定の組のフィルタ基準を更新するステップとをさらに含む、請求項１に記載の方法。
【請求項９】
受信された、ｅメールメッセージの要求は、前記ｅメールアカウントが前記モバイル機器のユーザに関連することを特定する情報を含む、請求項１に記載の方法。
【請求項１０】
受信された、ｅメールメッセージの要求は、インターネットメッセージアクセスプロトコルを用いる前記モバイル機器から通信される、請求項１に記載の方法。
【請求項１１】
データへのアクセスを処理するための方法であって、
モバイル機器からデータの要求を受信するステップと、
前記要求が前記モバイル機器から来ていると判定したことに応答して、前記モバイル機器と同じ機種の機器のみを含む機器のグループに関連するフィルタ基準を特定するステップと、
前記フィルタ基準を満たす特定のデータ要素を特定するために、１組のデータに前記フィルタ基準を適用するステップと、
特定されたデータ要素を前記モバイル機器に送信するステップとを含む、方法。
【請求項１２】
前記モバイル機器に関連するフィルタ基準を特定するステップは、前記モバイル機器に関連するプロファイルを特定するステップを含み、前記プロファイルは、少なくとも１つのデータフィルタ処理基準を含む、請求項１１に記載の方法。
【請求項１３】
前記モバイル機器に関連する前記フィルタ基準は、前記モバイル機器のユーザにより予め定められる、請求項１１に記載の方法。
【請求項１４】
特定のデータ要素を削除する要求を受信するステップと、
前記１組のデータから前記特定のデータ要素を削除するステップとをさらに含む、請求項１１に記載の方法。
【請求項１５】
不揮発性記憶装置に前記フィルタ基準を格納するステップをさらに含む、請求項１１に記載の方法。
【請求項１６】
１台以上のプロセッサによって実行されると、前記１台以上のプロセッサに対し、請求項１に記載の方法を実行させる命令の１つ以上のシーケンスを有する、コンピュータ読取可能な媒体。
【請求項１７】
１台以上のプロセッサによって実行されると、前記１台以上のプロセッサに対し、請求項２に記載の方法を実行させる命令の１つ以上のシーケンスを有する、コンピュータ読取可能な媒体。
【請求項１８】
１台以上のプロセッサによって実行されると、前記１台以上のプロセッサに対し、請求項３に記載の方法を実行させる命令の１つ以上のシーケンスを有する、コンピュータ読取
可能な媒体。
【請求項１９】
１台以上のプロセッサによって実行されると、前記１台以上のプロセッサに対し、請求項４に記載の方法を実行させる命令の１つ以上のシーケンスを有する、コンピュータ読取可能な媒体。
【請求項２０】
１台以上のプロセッサによって実行されると、前記１台以上のプロセッサに対し、請求項５に記載の方法を実行させる命令の１つ以上のシーケンスを有する、コンピュータ読取可能な媒体。
【請求項２１】
１台以上のプロセッサによって実行されると、前記１台以上のプロセッサに対し、請求項６に記載の方法を実行させる命令の１つ以上のシーケンスを有する、コンピュータ読取可能な媒体。
【請求項２２】
１台以上のプロセッサによって実行されると、前記１台以上のプロセッサに対し、請求項７に記載の方法を実行させる命令の１つ以上のシーケンスを有する、コンピュータ読取可能な媒体。
【請求項２３】
１台以上のプロセッサによって実行されると、前記１台以上のプロセッサに対し、請求項８に記載の方法を実行させる命令の１つ以上のシーケンスを有する、コンピュータ読取可能な媒体。
【請求項２４】
１台以上のプロセッサによって実行されると、前記１台以上のプロセッサに対し、請求項９に記載の方法を実行させる命令の１つ以上のシーケンスを有する、コンピュータ読取可能な媒体。
【請求項２５】
１台以上のプロセッサによって実行されると、前記１台以上のプロセッサに対し、請求項１０に記載の方法を実行させる命令の１つ以上のシーケンスを有する、コンピュータ読取可能な媒体。
【請求項２６】
１台以上のプロセッサによって実行されると、前記１台以上のプロセッサに対し、請求項１１に記載の方法を実行させる命令の１つ以上のシーケンスを有する、コンピュータ読取可能な媒体。
【請求項２７】
１台以上のプロセッサによって実行されると、前記１台以上のプロセッサに対し、請求項１２に記載の方法を実行させる命令の１つ以上のシーケンスを有する、コンピュータ読取可能な媒体。
【請求項２８】
１台以上のプロセッサによって実行されると、前記１台以上のプロセッサに対し、請求項１３に記載の方法を実行させる命令の１つ以上のシーケンスを有する、コンピュータ読取可能な媒体。
【請求項２９】
１台以上のプロセッサによって実行されると、前記１台以上のプロセッサに対し、請求項１４に記載の方法を実行させる命令の１つ以上のシーケンスを有する、コンピュータ読取可能な媒体。
【請求項３０】
１台以上のプロセッサによって実行されると、前記１台以上のプロセッサに対し、請求項１５に記載の方法を実行させる命令の１つ以上のシーケンスを有する、コンピュータ読取可能な媒体。
【請求項３１】
前記多数のプロファイルは、前記モバイル機器に関連する複数のプロファイルを含み、
前記モバイル機器に関連する前記複数のプロファイルの１つは、前記モバイル機器に対するアクティブなプロファイルとして現時点で指定されており、
特定の組のフィルタ基準を特定する前記ステップは、前記モバイル機器に対する前記アクティブなプロファイルに関連するフィルタ基準を特定するステップを含む、請求項１に記載の方法。
【請求項３２】
１台以上のプロセッサによって実行されると、前記１台以上のプロセッサに対し、請求項３１に記載の方法を実行させる命令の１つ以上のシーケンスを有する、コンピュータ読取可能な媒体。